(57)【要約】【課題】ＤＶＤプレーヤーのような画像再生装置において、デフォルトの画像以外の背景画像を用いた初期画面やスクリーンセーバーを表示できるようにする。【解決手段】初期画面およびスクリーンセーバーとして使用する所定静止画像データＷ０の格納場所等を指定した管理情報Ｋ０を複数の静止画像データＳ０とともにメディアＭに記録する。メディアＭをメディアドライブ１１に挿入し、メディアＭから管理情報Ｋ０を読み出す。管理情報Ｋ０に基づいて、所定静止画像データＷ０をメディアＭから読み出し、これをＤＶＤプレーヤー１起動時の初期画面やスクリーンセーバーとして使用する。【選択図】　　　　　図１
2004120604.tif 000002
【特許請求の範囲】
【請求項１】
記録媒体に複数の静止画像データを記録する画像記録方法において、
前記複数の静止画像データのうち、表示手段の待機画面として表示する少なくとも１つの所定静止画像データを特定する管理情報を前記複数の静止画像データとともに前記記録媒体に記録することを特徴とする画像記録方法。
【請求項２】
記録媒体に記録された複数の静止画像データのうち、少なくとも１つの所定静止画像データを該記録媒体から読み出し、
該所定静止画像データを待機画面として表示手段に表示することを特徴とする画像表示方法。
【請求項３】
前記記録媒体が請求項１に記載の画像記録方法により前記静止画像データおよび前記管理情報が記録された記録媒体であり、
前記管理情報に基づいて前記所定静止画像データを前記記録媒体から読み出すことを特徴とする請求項２記載の画像表示方法。
【請求項４】
前記記録媒体の種類毎に前記所定静止画像データを特定する管理情報が記憶手段に記憶されてなり、
前記管理情報に基づいて、前記所定静止画像データを前記記録媒体から読み出すことを特徴とする請求項２記載の画像表示方法。
【請求項５】
記録媒体に複数の静止画像データを記録する画像記録装置において、
前記複数の静止画像データのうち、表示手段の待機画面として表示する少なくとも１つの所定静止画像データを特定する管理情報を前記複数の静止画像データとともに前記記録媒体に記録する記録手段を備えたことを特徴とする画像記録装置。
【請求項６】
記録媒体に記録された複数の静止画像データのうち、少なくとも１つの所定静止画像データを該記録媒体から読み出す読出手段と、
該所定静止画像データを待機画面として表示手段に表示する表示制御手段とを備えたことを特徴とする画像表示装置。
【請求項７】
前記記録媒体が請求項１に記載の画像記録方法により前記静止画像データおよび前記管理情報が記録された記録媒体であり、
前記読出手段は、前記管理情報に基づいて前記所定静止画像データを前記記録媒体から読み出す手段であることを特徴とする請求項６記載の画像表示装置。
【請求項８】
前記記録媒体の種類毎に前記所定静止画像データを特定する管理情報が記憶手段に記憶されてなり、
前記読出手段は、前記管理情報に基づいて、前記所定静止画像データを前記記録媒体から読み出す手段であることを特徴とする請求項６記載の画像表示装置。
【請求項９】
動画像データを再生する動画像データ再生手段と、
音声データを再生する音声再生手段と、
請求項６から７のいずれか１項記載の画像表示装置とを備えたことを特徴とするＤＶＤプレーヤー。
【請求項１０】
前記静止画像データが圧縮されてなる場合、前記音声再生手段が前記静止画像データの解凍手段を兼用してなることを特徴とする請求項９記載のＤＶＤプレーヤー。
【請求項１１】
記録媒体に複数の静止画像データを記録する画像記録方法をコンピュータに実行させるためのプログラムおいて、
前記複数の静止画像データのうち、表示手段の待機画面として表示する少なくとも１つの所定静止画像データを特定する管理情報を前記複数の静止画像データとともに前記記録媒体に記録する手順を有するプログラム。
【請求項１２】
記録媒体に記録された複数の静止画像データのうち、少なくとも１つの所定静止画像データを該記録媒体から読み出す手順と、
該所定静止画像データを待機画面として表示手段に表示する手順とを有するプログラム。
【請求項１３】
前記記録媒体が請求項１に記載の画像記録方法により前記静止画像データおよび前記管理情報が記録された記録媒体であり、
前記読み出す手順は、前記管理情報に基づいて前記所定静止画像データを前記記録媒体から読み出す手順である請求項１２記載のプログラム。
【請求項１４】
前記記録媒体の種類毎に前記所定静止画像データを特定する管理情報が記憶手段に記憶されてなり、
前記読み出す手順は、前記管理情報に基づいて、前記所定静止画像データを前記記録媒体から読み出す手順である請求項１２記載のプログラム。
【発明の詳細な説明】
【０００１】
【発明の属する技術分野】
本発明は、ＤＶＤやＣＤ等の記録媒体に静止画像を表す静止画像データを記録する画像記録方法および装置、記録媒体に記録された静止画像データを表示する画像表示方法および装置並びに画像記録方法および画像表示方法をコンピュータに実行させるためのプログラムに関するものである。
【０００２】
【従来の技術】
ＤＶＤプレーヤーは、ＤＶＤに記録された映画を家庭用のテレビにおいて再生したり、ＣＤに記録された音楽を再生して楽しむことができる。このようなＤＶＤプレーヤーにおいては、起動時および新たなＤＶＤやＣＤ（以下メディアとする）をドライブに挿入した際に初期画面が表示され、メディアの選択、再生、ＤＶＤプレーヤーの設定等を行うことができる。また、一定時間操作がなされないと、テレビの画面保護のためにスクリーンセーバーがテレビ画面に表示される。
【０００３】
【発明が解決しようとする課題】
しかしながら、初期画面の背景画像やスクリーンセーバーは予めＤＶＤプレーヤーに記憶されたデフォルトの画像しか用いることができないため、パソコンのように任意の背景画像やスクリーンセーバーをテレビに表示することができなかった。
【０００４】
一方、メディアに記録された静止画像を表す静止画像データをＤＶＤプレーヤーにより表示することも可能となってきている。これにより、デジタルカメラにより取得した画像データや、フイルムに記録された画像を読み取ることにより得た画像データをメディアに記録すれば、自身が撮影した画像を家庭用のテレビに表示して家族や友人とともに楽しむことができる。
【０００５】
本発明は上記事情に鑑みなされたものであり、ＤＶＤプレーヤーのような画像再生装置において、デフォルトの画像以外の背景画像やスクリーンセーバーを表示できるようにすることを目的とする。
【０００６】
【課題を解決するための手段】
本発明による画像記録方法は、記録媒体に複数の静止画像データを記録する画像記録方法において、
前記複数の静止画像データのうち、表示手段の待機画面として表示する少なくとも１つの所定静止画像データを特定する管理情報を前記複数の静止画像データとともに前記記録媒体に記録することを特徴とするものである。
【０００７】
「待機画面」とは、ＤＶＤプレーヤー等の画像再生装置を起動した際に表示される初期画面や、入力が一定時間を行われなかった際に表示されるスクリーンセーバーをいう。
【０００８】
「所定静止画像データ」は、記録媒体への静止画像データの記録を行ったユーザが予め指定したものであってもよく、複数の静止画像データをファイル名順でソートした場合の先頭の静止画像データであってもよい。また、フイルムに記録された画像を読み取ることにより複数の静止画像データを得る場合において、複数のフイルムロールについての静止画像データを記録媒体に記録する場合には、各フイルムロールの代表画像を所定の静止画像データとして用いてもよい。
【０００９】
また、「管理情報」は、上記所定画像データを特定する情報であるが、具体的には、所定静止画像データが格納されるフォルダおよびファイル名を用いることができる。また、所定静止画像データを特定する情報に加えて、画像表示装置において記録媒体に記録された所定静止画像データを待機画面として表示させるために必要な情報を含んでもよい。具体的には、記録媒体を挿入した際にはこの記録媒体に記録された静止画像データを待機画面として使用する旨を表すフラグのような情報が挙げられる。
【００１０】
本発明による画像表示方法は、記録媒体に記録された複数の静止画像データのうち、少なくとも１つの所定静止画像データを該記録媒体から読み出し、
該所定静止画像データを待機画面として表示手段に表示することを特徴とするものである。
【００１１】
待機画面が初期画面である場合において、所定静止画像データが複数ある場合には、複数の所定静止画像が１つの画面に含まれるように所定静止画像データを縮小して表示すればよい。
【００１２】
また、待機画面がスクリーンセーバーである場合において、所定静止画像データが複数ある場合には、複数の所定静止画像を順次切り替えて表示するスライドショーのような形式のスクリーンセーバーとしてもよい。また、所定静止画像データの数に拘わらず、所定静止画像データを縮小して、画面上を任意に移動させるような形式のスクリーンセーバーとしてもよい。
【００１３】
なお、本発明による画像表示方法においては、前記記録媒体が本発明による画像記録方法により前記静止画像データおよび前記管理情報が記録された記録媒体である場合には、
前記管理情報に基づいて前記所定静止画像データを前記記録媒体から読み出すようにしてもよい。
【００１４】
また、本発明による画像表示方法においては、前記記録媒体の種類毎に前記所定静止画像データを特定する管理情報が記憶手段に記憶されてなる場合において、
前記管理情報に基づいて、前記所定静止画像データを前記記録媒体から読み出すようにしてもよい。
【００１５】
記録媒体にデータを記録する場合には、記録媒体にボリューム名が付与されるが、このボリューム名を記録媒体の種類を特定する情報としても用いてもよい。また、任意に付与したＩＤ番号を記録媒体の種類を特定する情報として用いてもよい。
【００１６】
なお、本発明による画像表示方法において、管理情報がない場合には、記録媒体に記録された複数の静止画像データから任意に選択された画像データを所定静止画像データとして用いてもよい。
【００１７】
本発明による画像記録装置は、記録媒体に複数の静止画像データを記録する画像記録装置において、
前記複数の静止画像データのうち、表示手段の待機画面として表示する少なくとも１つの所定静止画像データを特定する管理情報を前記複数の静止画像データとともに前記記録媒体に記録する記録手段を備えたことを特徴とするものである。
【００１８】
本発明による画像表示装置は、記録媒体に記録された複数の静止画像データのうち、少なくとも１つの所定静止画像データを該記録媒体から読み出す読出手段と、
該所定静止画像データを待機画面として表示手段に表示する表示制御手段とを備えたことを特徴とするものである。
【００１９】
なお、本発明による画像表示装置においては、前記記録媒体が本発明による画像記録方法により前記静止画像データおよび前記管理情報が記録された記録媒体である場合において、
前記読出手段を、前記管理情報に基づいて前記所定静止画像データを前記記録媒体から読み出す手段としてもよい。
【００２０】
また、本発明による画像表示装置においては、前記記録媒体の種類毎に前記所定静止画像データを特定する管理情報が記憶手段に記憶されてなる場合において、
前記読出手段を、前記管理情報に基づいて、前記所定静止画像データを前記記録媒体から読み出す手段としてもよい。
【００２１】
本発明によるＤＶＤプレーヤーは、動画像データを再生する動画像データ再生手段と、
音声データを再生する音声再生手段と、
本発明による画像表示装置とを備えたことを特徴とするものである。
【００２２】
ここで、動画像データ再生手段は、動画像データを再生可能な状態として表示手段に出力するものであり、例えば圧縮された動画像データを解凍したり、画質を向上させるための画像処理を行うものが用いられる。
【００２３】
また、音声再生手段は、音声データを再生可能な状態として表示手段やＤＶＤプレーヤーに接続されたステレオ、スピーカー等に出力するものであり、例えば圧縮された音声データを解凍したり、音質を向上させる処理を行うものが用いられる。
【００２４】
なお、本発明によるＤＶＤプレーヤーにおいては、前記静止画像データが圧縮されてなる場合、前記音声再生手段が前記静止画像データの解凍手段を兼用してなるものとしてもよい。
【００２５】
なお、本発明による画像記録方法および画像表示方法をコンピュータに実行させるためのプログラムとして、コンピュータ読み取り可能な記録媒体に記録して提供してもよい。
【００２６】
【発明の効果】
本発明の画像記録方法および装置によれば、複数の静止画像データが記録媒体に記録されるが、その際に、表示手段の待機画面として表示する少なくとも１つの所定静止画像データを特定する管理情報が記録媒体に記録される。このため、記録媒体に記録された管理情報を参照することにより、記録媒体に記録された静止画像データを表示する画像表示装置においては、記録媒体に記録された静止画像データを装置の待機画面として表示することができる。
【００２７】
本発明の画像表示方法および装置によれば、記録媒体に記録された複数の静止画像データのうち、少なくとも１つの所定静止画像データが記録媒体から読み出され、読み出された所定静止画像データが表示手段の待機画面として表示手段に表示される。このため、画像表示装置において予め用意されたデフォルトの画像以外の画像を待機画面として表示することができる。
【００２８】
また、記録媒体が本発明の画像記録方法および装置により複数の静止画像データおよび管理情報が記録されたものである場合には、記録媒体に記録された管理情報が参照されて、所定静止画像データが読み出され、待機画面として表示される。このため、記録媒体に記録された静止画像データを簡易に待機画面として表示することができる。
【００２９】
また、記録媒体の種類毎に所定静止画像データを特定する管理情報が記憶手段に記憶されてなる場合には、記憶手段に記憶された管理情報が参照されて、所定静止画像データが決定される。このため、記録媒体に記録された静止画像データを簡易に待機画面として表示することができる。
【００３０】
【発明の実施の形態】
以下図面を参照して本発明の実施形態について説明する。図１は本発明の第１の実施形態による画像表示装置を適用したＤＶＤプレーヤーの構成を示す概略ブロック図である。図１に示すように、第１の実施形態によるＤＶＤプレーヤー１は、メディアＭの挿入受け付けてメディアＭに記録された動画像データ、静止画像データおよび音声データ等を読み出すメディアドライブ１１と、動画像データ、静止画像データおよび音声データをデコードするデコーダー１２と、動画像データ、静止画像データおよび音声データを再生等するためのプログラムや種々の情報を記録したＲＯＭ１３と、種々のデータを一時的に記憶したり、処理の作業領域となるＲＡＭ１４と、リモコン１５からの操作を受け付ける受信部１６と、テレビ３を接続するためのテレビ端子１７と、メモリカードリーダー、ハードディスク、プリンタ等の外部機器を接続するためのＵＳＢ、ＩＥＥＥ等の規格からなる入出力端子１８と、メディアドライブ１１、デコーダー１２、ＲＯＭ１３、ＲＡＭ１４、受信部１６、テレビ端子１７および入出力端子１８を制御するＣＰＵ１９とを備える。
【００３１】
メディアＭにはパソコン４において、デジタルカメラ５により取得された複数の静止画像データＳ０が記録される。この際、複数の静止画像データＳ０とともに管理情報Ｋ０が記録される。管理情報Ｋ０は、複数の静止画像データＳ０のうち、ＤＶＤプレーヤー１の待機画面として使用する所定静止画像データＷ０の格納場所を表す情報および待機画面の設定のオン／オフを表す情報を含むものであり、パソコン４において、デジタルカメラ５により取得した静止画像データＳ０をメディアＭに記録する際に、パソコン４のユーザにより生成される。具体的には、複数の静止画像データＳ０から待機画面として使用する所定静止画像データＷ０の選択が行われるとともに、待機画面を設定する情報のオン／オフがパソコン４の操作画面上において設定され、選択された所定静止画像データＷ０の格納場所を表す情報、および待機画面の設定の情報を含む管理情報Ｋ０が生成されてメディアＭに記録される。
【００３２】
なお、所定静止画像データＷ０は、初期画面用およびスクリーンセーバー用にそれぞれ別個のものを選択してもよい。
【００３３】
ここで待機画面とは、ＤＶＤプレーヤー１を立ち上げた際にテレビ３に表示される初期画面および入力が一定時間を行われなかった際に表示されるスクリーンセーバーをいう。
【００３４】
所定静止画像データＷ０は、上述したように複数の静止画像データＳ０からユーザが選択したものでもよいが、例えば、複数の静止画像データＳ０が複数のフォルダに分類されてメディアＭに記録される場合には、各フォルダにおいて複数の静止画像データＳ０をソートした際にファイル名が先頭の静止画像データＳ０を所定静止画像データＷ０としてもよい。また、とくに複数のネガフイルムに記録された画像の読み取りを写真店に依頼した場合、静止画像データＳ０はネガフイルム毎にフォルダに分類されてメディアＭに記録されるが、この場合においても各フォルダにおいて複数の静止画像データＳ０をソートした際にファイル名が先頭の静止画像データＳ０を所定静止画像データＷ０としてもよい。
【００３５】
ここで、メディアＭに記録される動画像データ、静止画像データおよび音声データは、それぞれＭＰＥＧ、ＪＰＥＧ等の形式により圧縮されている。デコーダー１２は、メディアＭに記録された圧縮された動画像データ、静止画像データおよび音声データを解凍し、再生のためにテレビ端子１７に入力するものである。なお、動画像データ、静止画像データおよび音声データのそれぞれについて専用のデコーダー１２を設けてもよいが、装置の小型化および低コスト化の観点から、動画像データ、静止画像データおよび音声データで兼用のデコーダー１２を設けることが好ましい。また、動画像データの再生時には、画像と音声とを別個にデコードする必要がある場合があるため、動画像データ用のデコーダー１２と、音声データおよび静止画像データ用のデコーダー１２とを設けることが好ましい。
【００３６】
ＲＯＭ１３には、ＤＶＤプレーヤー１の動作プログラムが記録される。この動作プログラムは、データの再生および待機画面の生成をＣＰＵ１９に行わせるものであり、その操作は受信部１６が受信したリモコン１５の操作に基づいて行われる。
【００３７】
ここで、データの再生が指示された場合には、再生するデータをユーザに選択させる画面がテレビ３に表示され、ユーザがリモコン１５により選択したデータをテレビ３に再生するように、メディアドライブ１１、デコーダー１２およびＣＰＵ１９がプログラムにより駆動される。
【００３８】
例えば、ユーザが動画像データを記録したメディアＭをメディアドライブ１１に挿入して動画像データの再生の指示を行った場合には、メディアドライブ１１によりメディアＭに記録された動画像データが読み出され、デコーダー１２によりデコードされる。そして、デコードされた動画像データがテレビ端子１７から出力されてテレビ３に動画像が再生される。
【００３９】
また、ユーザが静止画像データを記録したメディアＭをメディアドライブ１１に挿入して静止画像データの再生の指示を行った場合には、メディアドライブ１１によりメディアＭに記録された動画像データが読み出され、デコーダー１２によりデコードされる。そして、デコードされた動画像データがテレビ端子１７から出力されてテレビ３に動画像が再生される。
【００４０】
なお、複数の静止画像データの再生の指示がなされた場合には、再生が指示された複数の静止画像データを順次切り替えて表示する、あるいは複数の静止画像データをサムネイル表示し、ここで選択されたサムネイル画像に対応する静止画像データを表示する等により、全てのまたは選択された静止画像データを再生することができる。
【００４１】
また、ユーザが音声データを記録したメディアＭをメディアドライブ１１に挿入して音声データの再生の指示を行った場合には、メディアドライブ１１によりメディアＭに記録された音声データが読み出され、デコーダー１２によりデコードされる。そして、デコードされた音声データがテレビ端子１７から出力されてテレビ３において音声が再生される。なお、入出力端子１８にステレオやスピーカーを接続し、ステレオやスピーカーにより音声を再生するようにしてもよい。
【００４２】
また、待機画面を表示する場合には、メディアＭに記録された管理情報Ｋ０を読み出し、管理情報Ｋ０に基づいてメディアＭから所定静止画像データＷ０を読み出し、所定静止画像データＷ０に基づいて待機画面を生成するよう、メディアドライブ１１、デコーダー１２およびＣＰＵ１９がプログラムにより駆動される。
【００４３】
なお、ＲＯＭ１３に代えて、専用チップによりデータの再生および待機画面の生成を行うようにしてもよい。
【００４４】
ここで、待機画面の生成について説明する。まず、待機画面が初期画面である場合について説明する。メディアＭをメディアドライブ１１に挿入した状態でＤＶＤプレーヤー１を起動する、あるいは新たなメディアＭをメディアドライブ１１に挿入すると、メディアＭに記録された管理情報Ｋ０が読み出され、管理情報Ｋ０に基づいて、所定静止画像データＷ０がメディアドライブ１１によりメディアＭから読み出される。そして、読み出された所定静止画像データＷ０はＲＡＭ１４に一時的に記憶され、さらにテレビ端子１７からテレビ３に出力されて、初期画面の背景画像としてテレビ３に表示される。図２（ａ）は所定静止画像データＷ０が初期画面の背景画像として表示された状態を示す図である。図２（ａ）に示すように、初期画面には所定静止画像データＷ０が背景画像として表示され、さらに「再生」、「設定」のコマンドＣが表示される。
【００４５】
なお、所定静止画像データＷ０が複数ある場合には、図２（ｂ）に示すように複数の所定静止画像データＷ０が画面内に収まるように縮小されてテレビ３に表示される。
【００４６】
一方、待機画面がスクリーンセーバーである場合には、メディアＭをＤＶＤプレーヤー１に挿入すると、メディアＭに記録された管理情報Ｋ０が読み出され、管理情報Ｋ０に基づいて所定静止画像データＷ０がメディアドライブ１１によりメディアＭから読み出され、読み出された所定静止画像データＷ０がＲＡＭ１４に一時的に記憶される。そして、一定時間リモコン１５の操作がなされないと、所定静止画像データＷ０がＲＡＭ１４から読み出され、スクリーンセーバーに加工されてテレビ端子１７から出力され、テレビ３に表示される。
【００４７】
なお、所定静止画像データＷ０が１つのみの場合には、図３に示すように、所定静止画像データＷ０を縮小し、縮小した所定静止画像が画面内をランダムに移動するように所定静止画像データＷ０をスクリーンセーバーに加工してテレビ３に表示すればよい。また、所定静止画像データＷ０が複数ある場合には、所定静止画像データＳ０を順次切り替えて表示するように所定静止画像データＷ０をスクリーンセーバーに加工してテレビ３に表示すればよい。また、複数の所定静止画像データＷ０を縮小し、縮小した複数の所定静止画像が画面内をランダムに移動するように所定静止画像データＷ０をスクリーンセーバーに加工してテレビ３に表示してもよい。
【００４８】
また、待機画面を生成するためにＲＡＭ１４に記憶された所定静止画像データＷ０は、メディアＭをメディアドライブ１１から取り出した際に消去してもよいが、メディアＭのボリューム名と対応付けてＲＡＭ１４に記憶しておいてもよい。これにより、次回同一のメディアＭをメディアドライブ１１に挿入した際に、再度メディアＭから所定静止画像データＷ０を読み出す必要がなくなる。
【００４９】
また、メディアＭに記録された静止画像データＳ０を用いての待機画面の生成は、メディアＭの管理情報Ｋ０に記録された待機画面の設定情報がオンとされている場合にのみ行われる。管理情報Ｋ０における待機画面の設定情報がオフとされている場合、あるいはメディアＭに管理情報Ｋ０が記録されていない場合には、予めＲＯＭ１３に記録されたデフォルト画像が待機画面として用いられる。
【００５０】
受信部１６は、リモコン１５によりユーザにより操作された操作内容を表す赤外線を受信し、その操作内容に応じてＤＶＤプレーヤー１を駆動するよう、指示をＣＰＵ１９に入力する。ここで、リモコン１５により、動画像データ、静止画像データおよび音声データの再生並びに待機画面の設定等、ＤＶＤプレーヤー１の全ての操作を行うことができる。
【００５１】
次いで、第１の実施の形態の動作について説明する。図４は、第１の実施形態において、初期画面の表示時に行われる処理を示すフローチャートである。まず、メディアドライブ１１へメディアＭが挿入されたか否かまたはＤＶＤプレーヤー１が起動されたか否かが監視されており（ステップＳ１）、ステップＳ１が肯定されると、メディアＭに管理情報Ｋ０が記録されているか否かが判定される（ステップＳ２）。ステップＳ２が肯定されると、管理情報Ｋ０に含まれる待機画面の設定情報がオンとされているか否かが判定される（ステップＳ３）。ステップＳ３が肯定されると、管理情報Ｋ０に基づいてメディアＭから所定静止画像データＷ０が読み出され（ステップＳ４）、ＲＡＭ１４に記憶される（ステップＳ５）。そして、所定静止画像データＷ０が初期画面としてテレビ３に表示され（ステップＳ６）、処理を終了する。
【００５２】
なお、ステップＳ２およびステップＳ３が否定されると、ＲＯＭ１３に記憶されたデフォルトの画像が初期画面としてテレビ３に表示され（ステップＳ７）、処理を終了する。
【００５３】
図５は、第１の実施形態において、スクリーンセーバーの表示時に行われる処理を示すフローチャートである。まず、最後に操作が行われてから一定時間が経過したか否かが監視されており（ステップＳ１１）、ステップＳ１１が肯定されると、ＲＡＭ１４に所定静止画像データＷ０が記憶されているか否かが判定される（ステップＳ１２）。ステップＳ１２が肯定されると、所定静止画像データＷ０がスクリーンセーバーとして表示され（ステップＳ１３）、処理を終了する。
【００５４】
一方、ステップＳ１２が否定されると、デフォルトの画像がスクリーンセーバーとして表示され（ステップＳ１４）、処理を終了する。
【００５５】
このように、第１の実施形態においては、メディアＭに記録された管理情報Ｋ０に基づいて、メディアＭに記録された複数の静止画像データＳ０から所定静止画像データＷ０を読み出して、これをＤＶＤプレーヤー１の待機画面として用いるようにしたため、ＤＶＤプレーヤー１において予めＲＯＭ１３に記憶されたデフォルトの画像以外の画像を待機画面として用いることができる。
【００５６】
また、メディアＭに記録された所定静止画像データＷ０を待機画面として用いているため、とくに待機画面を初期画面とした場合に、メディアＭをメディアドライブ１１に挿入すれば、そのメディアＭにどのような画像が記録されているかの確認を容易に行うことができる。
【００５７】
また、メディアＭに記録された管理情報Ｋ０を参照して待機画面を表示しているため、待機画面の表示を簡易に行うことができる。
【００５８】
次いで、本発明の第２の実施形態について説明する。図６は、本発明の第２の実施形態による画像記録装置を適用したＤＶＤプレーヤー１を示す図である。なお、第２の実施形態において第１の実施形態と同一の構成については同一の参照番号を付し、詳細な説明は省略する。第２の実施形態においては、メディアＭの種類を識別する識別手段２１と、メディアＭの種類に応じた管理情報Ｋ０を記憶するＲＡＭ１４′とを備えた点が第１の実施形態と異なる。
【００５９】
ＲＡＭ１４′には、例えば図７に示すように、メディアＭのボリューム名毎に所定静止画像データＷ０のファイル名を格納場所とともに登録した管理情報Ｋ０が記憶されている。
【００６０】
識別手段２１は、メディアＭに付与された識別情報に基づいて、メディアＭの種類を識別する。ここで、識別情報としては、メディアＭのボリューム名を用いるが、メディアＭに任意に付与されるＩＤ番号等を用いてもよい。
【００６１】
そして、メディアドライブ１１にメディアＭが挿入されると、メディアＭのボリューム名がメディアドライブ１１により読み取られて、識別手段２１に入力される。識別手段２１は、ボリューム名に基づいて、挿入されたメディアＭがＲＡＭ１４′に登録されているか否かを判定する。そして、メディアＭがＲＡＭ１４′に登録されている場合には、ＲＡＭ１４′に記憶された管理情報Ｋ０に基づいて、ボリューム名に対応するファイル名を有する所定静止画像データＷ０をメディアＭから読み出し、所定静止画像データＷ０に基づいて待機画面を表示する。
【００６２】
一方、メディアＭがＲＡＭ１４′に登録されていない場合には、メディアＭの登録を行うための登録画面がテレビ３に表示され、この登録画面において、メディアＭの登録および所定静止画像データＷ０の選択を行うことができる。
【００６３】
次いで、第２の実施の形態の動作について説明する。図８は、第２の実施形態において、初期画面の表示時に行われる処理を示すフローチャートである。まず、メディアドライブ１１へメディアＭが挿入されたか否かまたはＤＶＤプレーヤー１が起動されたか否かが監視されており（ステップＳ２１）、ステップＳ２１が肯定されると、メディアＭのボリューム名が読み出される（ステップＳ２２）。そして、ＲＡＭ１４′が参照されて、挿入されたメディアＭがＲＡＭ１４′に登録されているか否かが判定される（ステップＳ２３）。
【００６４】
ステップＳ２３が肯定されると、ＲＡＭ１４′に記憶された管理情報Ｋ０に基づいて、ボリューム名に対応するファイル名を有する所定静止画像データＷ０がメディアＭから読み出され（ステップＳ２４）、所定静止画像データＷ０が初期画面としてテレビ３に表示され（ステップＳ２５）、処理を終了する。
【００６５】
なお、ステップＳ２３が否定されると、メディアＭの登録を行うための登録画面がテレビ３に表示される（ステップＳ２６）。そして、この登録画面において、メディアＭの登録および所定静止画像データＷ０の選択が受け付けられ（ステップＳ２７）、選択された所定静止画像データＷ０が初期画面としてテレビ３に表示され（ステップＳ２８）、処理を終了する。
【００６６】
図９は、第２の実施形態において、スクリーンセーバーの表示時に行われる処理を示すフローチャートである。まず、最後に操作が行われてから一定時間が経過したか否かが監視されており（ステップＳ３１）、ステップＳ３１が肯定されると、メディアＭのボリューム名が読み出される（ステップＳ３２）。ここで、メディアドライブ１１に一度挿入されたメディアＭはすでにＲＡＭ１４′にボリューム名および所定静止画像データＷ０が登録されているため、ボリューム名に対応するファイル名を有する所定静止画像データＷ０がメディアＭから読み出され（ステップＳ３３）、所定静止画像データＷ０がスクリーンセーバーとしてテレビ３に表示され（ステップＳ３４）、処理を終了する。
【００６７】
このように、第２の実施形態においては、ＲＡＭ１４′に記録された管理情報Ｋ０に基づいて、メディアＭに記録された複数の静止画像データＳ０から所定静止画像データＷ０を読み出して、これをＤＶＤプレーヤー１の待機画面として用いるようにしたため、ＤＶＤプレーヤー１において予め用意されたデフォルトの画像以外の画像を待機画面として用いることができる。
【００６８】
また、ＲＡＭ１４′に記録された管理情報Ｋ０を参照して待機画面を表示しているため、待機画面の表示を簡易に行うことができる。
【００６９】
なお、上記第２の実施形態において、メディアＭの登録画面が表示された際に、登録を受け付けるか否かをユーザに選択させるようにしてもよい。そして、登録を行わない旨の選択がなされた場合には、ＲＯＭ１３に記憶されているデフォルトの画像を待機画面として表示すればよい。
【００７０】
また、上記第１および第２の実施形態において、管理情報Ｋ０がメディアＭあるいはＲＡＭ１４′に記憶されていない場合には、ＲＯＭ１３に記憶されたデフォルト画像を待機画面として用いているが、メディアＭに記録された複数の静止画像データＳ０からランダムに選択された静止画像データＳ０を所定静止画像データＷ０として待機画面に用いてもよい。また、複数の静止画像データＳ０のサムネイル画像を一覧として並べたサムネイル画面を生成し、これを待機画面として用いてもよい。
【００７１】
また、上記第１および第２の実施形態においては、ＤＶＤプレーヤー１においてメディアＭを再生する場合に、メディアＭに記録された複数の静止画像データＳ０から選択された所定静止画像データＷ０を用いて待機画面を表示しているが、パソコンにおいてメディアＭを再生する場合においても同様に、メディアＭに記録された複数の静止画像データＳ０から選択された所定静止画像データＷ０を用いて待機画面を表示してもよい。
【図面の簡単な説明】
【図１】本発明の第１の実施形態による画像表示装置を適用したＤＶＤプレーヤーの構成を示す概略ブロック図
【図２】所定静止画像データが初期画面に表示された状態を示す図
【図３】所定静止画像データがスクリーンセーバーとして用いられた状態を示す図
【図４】第１の実施形態において、初期画面の表示時に行われる処理を示すフローチャート
【図５】第１の実施形態において、スクリーンセーバーの表示時に行われる処理を示すフローチャート
【図６】本発明の第２の実施形態による画像記録装置を適用したＤＶＤプレーヤーの構成を示す図
【図７】管理情報を示す図
【図８】第２の実施形態において、初期画面の表示時に行われる処理を示すフローチャート
【図９】第２の実施形態において、スクリーンセーバーの表示時に行われる処理を示すフローチャート
【符号の説明】
１　　ＤＶＤプレーヤー
３　　テレビ
４　　パソコン
５　　デジタルカメラ
１１　　メディアドライブ
１２　　デコーダー
１３　　ＲＯＭ
１４，１４′　　ＲＡＭ
１５　　リモコン
１６　　受信部
１７　　テレビ端子
１８　　入出力端子
１９　　ＣＰＵ
２１　　識別手段
【図１】
2004120604.tif 000003
【図２】
2004120604.tif 000004
【図３】
2004120604.tif 000005
【図４】
2004120604.tif 000006
【図５】
2004120604.tif 000007
【図６】
2004120604.tif 000008
【図７】
2004120604.tif 000009
【図８】
2004120604.tif 000010
【図９】
2004120604.tif 000011